(57)【要約】【課題】エレベータにおける利用者のセキュリティの向上とエレベータ全体の輸送効率の向上とを図る。【解決手段】建屋１のエレベータを複数のエレベータ群（高速エレベータ２、低速エレベータ４、各階停止エレベータ６）にグループ分けるとともに、利用者９のセキュリティを複数レベル（大、中、低）に分けている。また、選択された各エレベータに対して複数種類の運転制御（専用２３、相乗り２４、一般２５）を設定している。  そして、セキュリティレベルに応じて、エレベータ群と運転制御とを適宜組合せることによって、必要なセキュリティを十分確保した上で、エレベータの輸送効率を向上する。【選択図】      図１
2009091097.tif 000002
【特許請求の範囲】
【請求項１】
建屋に設けられた複数のエレベータを運転制御するエレベータの運転制御装置において、
前記複数のエレベータを、建屋における停止階の組合せが異なる複数のエレベータ群にグループ分けするグループ分け手段と、
前記エレベータの利用者の識別情報、セキュリティレベル及び許可された目的階を記憶する利用者テーブルと、
前記エレベータを利用しようとする利用者の識別情報を読取る識別情報読取手段と、
この識別情報読取手段における識別情報の読取に応じて、この読取った識別情報の利用者のセキュリティレベル及び目的階に対応した一つ又は複数のエレベータ群から目的階までの当該利用者が利用する一つ又は複数のエレベータを選択するエレベータ選択手段と、
このエレベータ選択手段で選択したエレベータに対して、前記セキュリティレベルに応じて、専用運転制御、相乗り運転制御、一般運転制御から一つの運転制御を選択して実施する運転制御手段と
を備えたエレベータの運転制御装置。
【請求項２】
建屋に設けられた複数のエレベータを運転制御するエレベータの運転制御装置において、
前記複数のエレベータを、建屋の基準階及び予め定められた複数の乗換階のみに停止する高速エレベータ群と、前記建屋の連続する一部の階に停止する低速エレベータ群と、前記建屋の全ての階に停止する各階停止エレベータ群とにグループ分けするグループ分け手段と、
前記エレベータの利用者の識別情報、セキュリティレベル及び許可された目的階を記憶する利用者テーブルと、
前記エレベータを利用しようとする利用者の識別情報を読取る識別情報読取手段と、
この識別情報読取手段における識別情報の読取に応じて、この読取られた識別情報が指定する利用者のセキュリティレベルが高レベルのとき、前記各階停止エレベータ群の一つのエレベータを当該利用者の専用機として運転する専用運転制御手段と、
前記読取られた識別情報が指定する利用者のセキュリティレベルが中レベルのときでかつ目的階までの経路に乗換階が含まれる場合、前記高速エレベータ群の一つのエレベータを乗換階まで一般機として一般運転制御し、乗換階から目的階まで前記低速エレベータ群の一つのエレベータを当該利用者の専用機として運転する部分専用運転制御手段と、
前記読取られた識別情報が指定する利用者のセキュリティレベルが低レベルのときでかつ目的階までの経路に乗換階が含まれる場合、前記高速エレベータ群の一つのエレベータを乗換階まで一般機として運転制御し、乗換階から目的階まで前記低速エレベータ群の一つのエレベータを同一低レベルの利用者との相乗り機として運転制御する部分相乗り運転制御手段と
を備えたことを特徴とするエレベータの運転制御装置。
【請求項３】
前記部分専用運転制御手段及び部分相乗り運転制御手段において、乗換階から目的階までの運転に選択されたエレベータを、前記乗換階にて戸閉状態で待機させる待機制御手段を備えたことを特徴とする請求項２記載のエレベータの運転制御装置。
【請求項４】
前記部分専用運転制御手段は、前記乗換階に設置された識別情報読取手段における同一識別情報の読取に応じて、当該乗換階にて戸閉状態で待機しているエレベータを戸開することを特徴とする請求項３記載のエレベータの運転制御装置。
【請求項５】
前記専用運転制御手段、部分専用運転制御手段及び部分相乗り運転制御手段にて運転に選択されたエレベータへの乗車案内を当該利用者に報知する報知手段を備えたことを特徴とする請求項２から４のいずれか１項記載のエレベータの運転制御装置。
【請求項６】
前記識別情報読取手段は、基準階及び各乗換階に配設され、前記利用者が所持するカードに記憶された識別情報を読取るカードリーダであり、
前記報知手段は、前記選択されたエレベータへの乗車案内を前記カードリーダに設けられた表示器に表示する
ことを特徴とする請求項５記載のエレベータの運転制御装置。
【請求項７】
前記部分相乗り運転制御手段は、乗換階から目的階までの運転に選択されたエレベータに相乗りする利用者数が所定数を超えると、乗換階から目的階までの運転に複数のエレベータを選択することを特徴とする請求項２から６のいずれか１項記載のエレベータの運転制御装置。
【請求項８】
部分専用運転制御手段及び部分相乗り運転制御手段は、目的階方向の利用者数が所定数を超えると、前記識別情報読取手段で読取った識別情報の目的階に達するまでに高速エレベータから低速エレベータに乗換える乗換階を、目的階を通り過ぎた階に設置された乗換階に変更する乗換階変更手段を備えたことを特徴とする請求項２記載のエレベータの運転制御装置。
【発明の詳細な説明】
【技術分野】
【０００１】
本発明は、建屋に複数のエレベータが組込まれたエレベータシステムにおける各エレベータを運転制御するエレベータの運転制御装置に関する。
【背景技術】
【０００２】
最近の建築技術の発展により、より高い建築物が増加している。この高層建築においては各階の狭い床面積をより有効に使用する必要があるので、エレベータの設計者は、この高層建築の施工主から、各階のエレベータの専有面積をできるだけ狭くするように求められている。したがって、少ないエレベータでもって効率の良い輸送力を実現する必要がある。
【０００３】
これを実現するために様々な方法が提案されている。例えば、高速かつ大容量を有し停止階（階床）の少ない複数の高速エレベータを設置する。さらに、低速かつ小容量を有し、建屋の全部の階における特定の範囲内の各階に停止する複数の低速エレベータを適宜組合わせて、建屋の各階を上下に貫通する1つの昇降路に複数の低速エレベータを配設する。そして、利用者は目的階へ移動するには、高速エレベータで目的階の近傍の停止階（乗換階）まで行き、この乗換階で低速エレベータに乗換えて、目的階に移動する。
【０００４】
この場合のエレベータの運用方法として、前述したように、任意の目的階に行くためにはエレベータの乗換を行う必要があるため、特許文献１に記載されているように、乗換を行なう低速エレベータに予め乗換階への呼びを割当て、その乗換の低速エレベータの号機をアナウンスすることが提唱されている。
【０００５】
特許文献２には、複数台のエレベータの運行を管理するに際して、エレベータを利用する利用者に対して、目的階を含む属性を所持させ、この属性を読取って、この属性に含まれる目的階の呼びを最適エレベータに自動的に割付ける技術が開示されている。
【０００６】
また、近年、エレベータの利用時における利用者に対する防犯に対するセキュリティ（安全性）の要求が高まっている。このエレベータに対するセキュリティ対策として、許可されていない不特定者（不審者）をエレベータに乗せない、また、許可されている者しか特定の階にエレベータから降ろさないなどの方法が考えられる。
【特許文献１】特許第２８８９００４号公報
【特許文献２】特許第３４５４６０１号公報
【発明の開示】
【発明が解決しようとする課題】
【０００７】
しかしながら、上述した、少ないエレベータで多数の利用者を効率的に目的階へ輸送することと、エレベータの利用者のセキュリティを向上することとは、相反することである。
【０００８】
すなわち、高速、大量輸送を実施したいエレベータでセキュリティを実施したい場合には、前述したように、不特定多数の一般の利用者に対して、建屋に入れなくする事を目的とし、エレベータに乗せないための乗車制限、又は、予め登録された特定の者しか特定階へ降りる事を許可しない降車制限を行なう必要が生じる。しかし、この手法は、不特定多数の利用者が使いたい時にエレベータが使えない事を意味し、結果として輸送効率が低下する。
【０００９】
また、セキュリティをより高めたい場合には、同一エレベータにおけるＶＩＰ等の要人に対する不審者が相乗りする問題を回避する必要が生じるため、エレベータに許可されていない利用者を乗せないための対策が必要になる。これも輸送効率を低下させる要因となる。このように、エレベータの運転制御において、セキュリティ向上と輸送効率向上とは相反する結果となる。
【００１０】
本発明はこのような事情に鑑みてなされたものであり、利用者が必要とするセキュリティのレベルに応じて、当該利用者に割付けるエレベータの種別、及び当該エレベータに対する運転制御を選択実施することによって、必要なセキュリティを十分確保した上で、輸送効率を向上できるエレベータの運転制御装置を提供することを目的とする。
【課題を解決するための手段】
【００１１】
上記課題を解決するために、本発明は、建屋に設けられた複数のエレベータを運転制御するエレベータの運転制御装置において、
複数のエレベータを、建屋における停止階の組合せが異なる複数のエレベータ群にグループ分けするグループ分け手段と、エレベータの利用者の識別情報、セキュリティレベル及び許可された目的階を記憶する利用者テーブルと、エレベータを利用しようとする利用者の識別情報を読取る識別情報読取手段と、この識別情報読取手段における識別情報の読取に応じて、この読取った識別情報の利用者のセキュリティレベル及び目的階に対応した一つ又は複数のエレベータ群から目的階までの当該利用者が利用する一つ又は複数のエレベータを選択するエレベータ選択手段と、このエレベータ選択手段で選択したエレベータに対して、セキュリティレベルに応じて、専用運転制御、相乗り運転制御、一般運転制御から一つの運転制御を選択して実施する運転制御手段とを備えている。
【００１２】
このように構成されたエレベータの運転制御装置においては、建屋に設けられた複数のエレベータは、停止階の組合せが異なる複数のエレベータ群にグループ分けされている。そして、利用者は自己に割当られているセキュリティレベルを有する。利用者が自己の目的階に行く場合には、自己のセキュリティレベル及び目的階に対応したエレベータ群のエレベータが指定され、さらに、このエレベータが自己のセキュリティレベルに対応した運転制御が実施される。
【００１３】
例えば、高いセキュリティレベルの場合は専用運転制御が実施される。この場合、セキュリティが優先される。また、低いセキュリティレベルの場合は一般運転制御が実施される。この場合、輸送効率が優先される。したがって、必要なセキュリティを十分確保した上で、輸送効率を向上できる。
【００１４】
また、別の発明は、建屋に設けられた複数のエレベータを運転制御するエレベータの運転制御装置において、
複数のエレベータを、建屋の基準階及び予め定められた複数の乗換階のみに停止する高速エレベータ群と、建屋の連続する一部の階に停止する低速エレベータ群と、建屋の全ての階に停止する各階停止エレベータ群とにグループ分けするグループ分け手段と、エレベータの利用者の識別情報、セキュリティレベル及び許可された目的階を記憶する利用者テーブルと、エレベータを利用しようとする利用者の識別情報を読取る識別情報読取手段と、この識別情報読取手段における識別情報の読取に応じて、この読取られた識別情報が指定する利用者のセキュリティレベルが高レベルのとき、各階停止エレベータ群の一つのエレベータを当該利用者の専用機として運転する専用運転制御手段と、読取られた識別情報が指定する利用者のセキュリティレベルが中レベルのときでかつ目的階までの経路に乗換階が含まれる場合、高速エレベータ群の一つのエレベータを乗換階まで一般機として運転制御し、乗換階から目的階まで低速エレベータ群の一つのエレベータを当該利用者の専用機として運転制御する部分専用運転制御手段と、読取られた識別情報が指定する利用者のセキュリティレベルが低レベルのときでかつ目的階までの経路に乗換階が含まれる場合、高速エレベータ群の一つのエレベータを乗換階まで一般機として運転制御し、乗換階から目的階まで低速エレベータ群の一つのエレベータを同一低レベルの利用者との相乗り機として運転制御する部分相乗り運転制御手段とを備えている。
【００１５】
このように構成されたエレベータの運転制御装置においては、エレベータは、高速エレベータと、低速エレベータと、各階停止エレベータとにグループ分けされている。そして、高セキュリティレベルの利用者に対して、各階停止エレベータが目的階まで、乗換なしの専用機として運転制御される。中セキュリティレベルの利用者は、一般運転状態の高速エレベータで乗換階まで行く。そして、この乗換階で自己専用に運転制御される低速エレベータに乗換えて目的階に行く。さらに、低セキュリティレベルの利用者は、一般運転状態の高速エレベータで乗換階まで行く。そして、この乗換階で同一低セキュリティレベルの利用者と相乗りで低速エレベータに乗換えて目的階に行く。
【００１６】
したがって、先の発明と同様に、必要なセキュリティを十分確保した上で、輸送効率を向上できる。
【００１７】
また、別の発明においては、前述した発明のエレベータの運転制御装置における部分専用運転制御手段及び部分相乗り運転制御手段において、乗換階から目的階までの運転に選択されたエレベータを、乗換階にて戸閉状態で待機させる待機制御手段を備えている。
【００１８】
このように、目的階へ向かう低速エレベータを、乗換階にて戸閉状態で待機させることによって、セキュリティが設定されている利用者は乗換階で待つことなく、次の低速エレベータに乗り込むことができる。この場合、低速エレベータは戸閉状態で待機しているので、セキュリティが設定されていない一般利用者が当該エレベータに誤って乗込むことが防止され、セキュリティが設定されている利用者の安全性が一層向上する。
【００１９】
また、別の発明においては、前述した発明のエレベータの運転制御装置における部分専用運転制御手段は、乗換階に設置された識別情報読取手段における同一識別情報の読取に応じて、当該乗換階にて戸閉状態で待機しているエレベータを戸開する。
【００２０】
すなわち、利用者が乗換階に設置された識別情報読取手段で自己の識別情報を取らせない限りは、待機しているエレベータは戸開しないので、一般利用者が当該エレベータに誤って乗込むことがより確実に防止される。
【００２１】
また、別の発明においては、前述した発明のエレベータの運転制御装置における専用運転制御手段、部分専用運転制御手段及び部分相乗り運転制御手段にて運転に選択されたエレベータへの乗車案内を当該利用者に報知する報知手段を備えている。したがって、セキュリティが設定されている利用者に対するサービスをより一層向上できる。
【００２２】
また、別の発明においては、前述した発明のエレベータの運転制御装置における識別情報読取手段は、基準階及び各乗換階に配設され、利用者が所持するカードに記憶された識別情報を読取るカードリーダである。さらに、報知手段は、選択されたエレベータへの乗車案内をカードリーダに設けられた表示器に表示する。
【００２３】
したがって、利用者は、カードリーダに自己のカードをかざすと、その場で、自己が乗り込むエレベータを確認できる。
【００２４】
また、別の発明においては、前述した発明のエレベータの運転制御装置の部分相乗り運転制御手段は、乗換階から目的階までの運転に選択されたエレベータに相乗りする利用者数が所定数を超えると、乗換階から目的階までの運転に複数のエレベータを選択する。よって、エレベータ全体をさらに効率的に運転できる。
【００２５】
また、別の発明においては、前述した発明のエレベータの運転制御装置における部分専用運転制御手段及び部分相乗り運転制御手段は、目的階方向の利用者数が所定数を超えると、前記識別情報読取手段で読取った識別情報の目的階に達するまでに高速エレベータから低速エレベータに乗換える乗換階を、目的階を通り過ぎた階に設置された乗換階に変更する乗換階変更手段を備えている。よって、エレベータ全体をさらに効率的に運転できる。
【発明の効果】
【００２６】
本発明においては、エレベータを複数のエレベータ群にグループ分けるとともに、利用者のセキュリティを複数レベルに分けている。また、選択された各エレベータに対して複数種類の運転制御を設定し、セキュリティレベルに応じて、エレベータ群と運転制御とを混み合わせることによって、必要なセキュリティを十分確保した上で、エレベータの輸送効率を向上できる。
【発明を実施するための最良の形態】
【００２７】
以下、本発明の一実施形態を図面を用いて説明する。図１は本発明の一実施形態に係わるエレベータの運転制御装置を示す模式図であり、図２はこのエレベータが組込まれた建屋を示す図である。
【００２８】
図２において、建屋１は例えば、Ｂ４階〜２０階までの例を示しているが、特に階床数に制限はない。この建屋１には多数のエレベータが設置されているが、このエレベータは、大きく3つのグループに分類することができる。各グループは1台のエレベータの場合もあれば、それぞれが、複数台の場合もある。
【００２９】
高速エレベータ群２ａに所属する各エレベータ（高速エレベータ２と称する）は、この建屋の出入口が設けられた1階等の基準階３と、後述する低速エレベータ群４ａの各エレベータ（低速エレベータ４と称する）に乗換えるための階（乗換階５）のみに停止し、大量・高速な移動を可能とするエレベータである。
【００３０】
また、低速エレベータ群４ａの各低速エレベータ４は、建屋１の連続する一部の階に停止するエレベータで構成されている。すなわち、この例では、低階層用エレベータと中階層用エレベータと高階層用エレベータとに分離され、低階層用エレベータと高階層用エレベータとを一つの昇降路に収納する事によって建屋１の各階の床面積を有効的に使用できる。そして、この建屋１の利用者は、高速エレベータ２で乗換階５までいき、この乗換階５で低速エレベータ４に乗換えて目的階へいく。
【００３１】
各階停止エレベータ群６ａの各階停止エレベータ６は建屋１の全ての階に停止する。すなわち、建築基準法で一定階床以上の高さのエレベータには義務付けられている非常用の各階停止するエレベータである。なお、非常用でなくても各階に停止する荷物用のエレベータの場合もある。
【００３２】
また、建屋１の構造上、又はこの建屋１に入居している会社や団体の意向に基づいて、一般の利用者７には開放されていなくて、図３（ｂ）に示すＩＤカード８を所持した特定の利用者９のみが利用可能な階がある。この例では、７階〜１２階、１３階〜２０階が相当する。これらの階を不停止階と呼ぶ。これらの階へ行くには、利用者９は自己が所持している図３（ｂ）に示すＩＤカード８を基準階３及び各乗換階５に設置された識別情報読取手段としての図３（ａ）に示すカードリーダ１０にかざして、識別情報読としてのＩＤを読取らせる。
【００３３】
このカードリーダ１０の表面には、ＩＤカード８に記憶されたＩＤを読取る読取り部１０ａと、このＩＤカード８の利用者９に各種案内を報知する表示器１０ｂが設けられている。
【００３４】
図１において、セキュリティ制御部１１は、各カードリーダ１０で読込まれたＩＤカード８のデータを受信し、エレベータの呼びの情報を生成し、各エレベータ群２ａ，４ａ，の群管理部１２に呼びの情報を渡す。群管理部１２は、呼びをどのエレベータ２、４に割付けるかを決定し、そのエレベータ（号機）を制御するエレベータ制御部１３に呼びを通知すると共に、セキュリティ制御装置１１に割付エレベータを通知する。エレベータ制御部１３は呼びの状態に応じてエレベータ２，４のかご１４を移動制御する。
【００３５】
なお、この例では、各階停止エレベータ群６ａは１台のエレベータ６で構成されているので、セキュリティ制御部１１は、直接エレベータ制御部１３に呼びの割付を実施する。
【００３６】
また、各階には、主に、ＩＤカード８を所持しないセキュリティ対象外の一般の利用者７が操作する乗場呼び登録装置１５が設置されており、一般呼び割付部１６は各乗場呼び登録装置１５で発生した各乗場呼びを各群管理部１２へ送出する。
【００３７】
例えばコンピュータ等で構成されたセキュリティ制御部１１内には、利用者テーブル１７が設けられている。この利用者テーブル１７内には、図４に示すように、ＩＤカード８を所持したセキュリティ対象の利用者９のＩＤ（識別情報）に対して、当該カードの利用の可否情報、セキュリティのレベルを示すＡ（高レベル）ランク、Ｂ（中レベル）ランク、及びＣ（低レベル）レベル、及び当該利用者９が行くことが許可された目的階が設定されている。
【００３８】
ランク目的階検出部１８は、各カードリーダ１０で読取った利用者９のセキュリティのランクと目的階とを検出する。そして、検出されたランクがＡランクの場合はランクＡ選択制御部１９を起動する。また、検出されたランクがＢランクの場合はランクＢ選択制御部２０を起動する。さらに、検出されたランクがＣランクの場合はランクＣ選択制御部２１を起動する。
【００３９】
また、運転制御モードメモリ２２内には、各ランク制御部１９，２０、２１で目的階への呼びが割付けられた１台又は２台のエレベータ２、４、６に対する運転制御モードが記憶されている。
【００４０】
専用運転制御モード２３は、当該エレベータ２、４、６のかご１４に割付けられている目的階へ向かう１人の利用者９ののみしか乗せない。具体的には、他のＩＤを指定した呼び、及び一般の利用者７が操作する乗場呼び登録装置１５からの呼びを受付けない。
【００４１】
相乗り運転制御モード２３は、当該エレベータ２、４、６のかご１４に割付けられている目的階へ向かう同一セキュリティランク（具体的にはＣランクのみ）の複数の利用者９を乗せることが可能である。
【００４２】
さらに、一般運転制御モード２４は、当該エレベータ２、４、６には、ＩＤカード８を所持する利用者９のカードリーダ１０からの呼び、及び一般の利用者７が操作する乗場呼び登録装置１５からの呼びを受付け、かご１４を目的階へ向かう。すなわち、一般運転制御モード２４に設定されると、不特定多数の利用者７も当該エレベータに乗せる。
【００４３】
ランクＡ選択制御部１９は、ランク目的階検出部１８から、ＩＤカード８を読取ったカードリーダ１０の設置階（利用者９の現在位置している階）、利用者９のＩＤが付加されたＡランク、目的階が入力すると、各階停止エレベータ群６の各階停止エレベータ６を当該利用者９の専用機として運転する。
【００４４】
具体的には、各階停止エレベータ６のエレベータ制御部１３に、各階停止エレベータ６に、利用者９の位置している階への呼びを割り付ける。該当階に各階停止エレベータ６が到着して、利用者９がこの各階停止エレベータ６に乗り込むと、この乗込んだ各階停止エレベータ６に目的階を自動的に割付ける。そして、この各階停止エレベータ６の運転制御モードを専用運転制御モード２３に設定する。各階停止エレベータ６が目的階に到着して、利用者９が降りると、専用運転制御モード２３は解除される。
【００４５】
ランクＢ選択制御部２０は、ランク目的階検出部１８から、ＩＤカード８を読取ったカードリーダ１０の設置階（利用者９の現在位置している階）、利用者９のＩＤが付加されたＢランク、目的階が入力すると、利用者９の現在位置（階）から目的階までの経路に乗換階５が存在すると、高速エレベータ２と低速エレベータ４とを使用する。
【００４６】
この場合、高速エレベータ群２ａの群管理部１２を介して１台の高速エレベータ２に当該利用者９の乗換階５を割付ける。同時に低速エレベータ群４ａの群管理部１２を介して現時点で呼びが割付けられていない１台の低速エレベータ４に乗換階５から当該利用者９の目的階までの呼びを割付ける。さらに、この低速エレベータ４の運転制御モードを専用運転制御モード２３に設定する。
【００４７】
この結果、呼びが割付られた高速エレベータ２が、利用者９の位置している階へ移動して、利用者９がこの高速エレベータ２に乗り込むと、この高速エレベータ２は乗換階５へ移動する。高速エレベータ２の運転制御は常時「一般運転制御モード２５」であるので、利用者９は、一般の利用客と同時に乗り込む。
【００４８】
また、低速エレベータ４は、呼びで指定された乗換階５へ直ちに移動して、戸閉状態で待機する。
【００４９】
乗換階５で高速エレベータ２を降りた利用者９は、この乗換階５のカードリーダ１０に自己のＩＣカード８を再度かざすと、この乗換階５に待機している低速エレベータ４が戸開する。利用者９がこの低速エレベータ４に乗り込むと、この乗込んだ低速エレベータ４は目的階へ移動する。そして、専用運転制御モード２３に設定されている低速エレベータ４が目的階に到着して、利用者９が降りると、専用運転制御モード２３は解除される。
【００５０】
また、ランクＢ選択制御部２０は、利用者９の現在位置（階）から目的階までの経路に乗換階５が存在しないと、低速エレベータ群４ａの群管理部１２を介して１台の低速エレベータ４に当該利用者９の目的階の呼びを割り付ける。さらに、この低速エレベータ４の運転制御モードを専用運転制御モード２３に設定する。そして、利用者９がこの低速エレベータ４に乗り込むと、この乗込んだ低速エレベータ４は目的階へ移動する。そして、専用運転制御モード２３に設定されている低速エレベータ４が目的階に到着して、利用者９が降りると、専用運転制御モード２３は解除される。
【００５１】
ランクＣ選択制御部２１は、ランク目的階検出部１８から、ＩＤカード８を読取ったカードリーダ１０の設置階（利用者９の位置している階）、利用者９のＩＤが付加されたＣランク、目的階が入力すると、利用者９の現在位置（階）から目的階までの経路に乗換階５が存在すると、高速エレベータ２と低速エレベータ４とを使用する。
【００５２】
この場合、高速エレベータ群２ａの群管理部１２を介して１台の高速エレベータ２に当該利用者９の乗換階を割付ける。同時に低速エレベータ群４ａの群管理部１２を介して現時点で呼びが割付けられていない１台の低速エレベータ４に乗換階５から当該利用者９の目的階までの呼びを割り付ける。さらに、この低速エレベータ４の運転制御モードを相乗り運転制御モード２４に設定する。
【００５３】
この結果、呼びが割付られた高速エレベータ２が、利用者９の位置している階へ移動して、利用者９を乗車させて乗換階５へ移動する。また、低速エレベータ４は、呼びで指定された乗換階５へ直ちに移動して、戸閉状態で待機し、乗換階５へ高速エレベータ２が到着すると、戸開する。
【００５４】
乗換階５で高速エレベータ２を降りた利用者９は、この乗換階５に待機している低速エレベータ４に、同一Ｃランクのセキュリティが指定された他の利用者９と同時に乗り込む（相乗り）と、この相乗りした状態の低速エレベータ４は各目的階へ移動する。そして、相乗り運転制御モード２４に設定されている低速エレベータ４が目的階に到着して、利用者９が降りると、相乗り運転制御モード２４は解除される。
【００５５】
また、ランクＣ選択制御部２１は、利用者９の現在位置（階）から目的階までの経路に乗換階５が存在しないと、低速エレベータ群４ａの群管理部１２を介して１台の低速エレベータ４に当該利用者９の目的階の呼びを割り付ける。さらに、この低速エレベータ４の運転制御モードを相乗り運転制御モード２４に設定する。そして、利用者９が同一Ｃランクのセキュリティが指定された他の利用者９と共にこの低速エレベータ４に乗り込むと、この乗込んだ低速エレベータ４は各目的階へ順番に移動する。そして、相乗り運転制御モード２４に設定されている低速エレベータ４が最終目的階に到着して、利用者９が降りると、相乗り運転制御モード２４は解除される。
【００５６】
すなわち、ＢランクのセキュリティとＣランクのセキュリティとの最も大きな差異は、Ｂランクにおいては、自己の目的階へ行く低速エレベータ４は自己以外は乗っていない専用運転されているのに対して、Ｃランクにおいては、自己の目的階へ行く低速エレベータ４は自己以外にも同一Ｃランクのセキュリティが指定された他の利用者９との相乗り運転される。
【００５７】
図５、図６、図７はセキュリティ制御部１１の全体動作を示す流れ図である。各カードリーダ１０からＩＤ等のカード情報が入力されると、利用者テーブル１７から、利用者９のＩＤ、ランク、目標階を読出す（ステップＳ１）。基準階３のカードリーダ（Ｃ／Ｒ）１０からのカード情報の場合（Ｓ２）で、かつカード情報がＡランクの場合には（Ｓ３）、ステップＳ４において、各階停止エレベータ６にカード情報で特定される利用者９の目的階の呼びを割付けると共に、当該各階停止エレベータ６を専用運転制御モード２３に設定する（Ｓ４）。そして、カードリーダ１０の表示部１０ｂに図３（ａ）に示すように、各階停止エレベータ６（１３号機）に向かうことの案内表示を行う（Ｓ５）。
【００５８】
カード情報がＡランクでなくて（Ｓ３）、Ｂランクの場合は（Ｓ６）、目標階までの乗換階５の有無を判定し（Ｓ７）、存在する場合はその乗換階５を特定し（Ｓ８）、乗換階５までの高速エレベータ２に、当該乗換階５の呼びを割付ける（Ｓ９）。同時に、乗換階５から目標階までの呼びを低速エレベータ４に割り付ける（Ｓ１０）。そして、当該低速エレベータ４を専用運転制御モード２３に設定する（Ｓ１１）。そして、カードリーダ１０の表示部１０ｂに、割り付けた高速エレベータ２の号機、及び乗換階５の案内表示を行う（Ｓ１２）。
【００５９】
目標階までに乗換階５が存在しない場合（Ｓ７）、低速エレベータ４に当該利用者９の目的階の呼びを割り付ける。さらに、当該レベータ４を専用運転制御モード２３に設定する（Ｓ１３）。そして、割り付けた低速エレベータ４の号機の案内表示を行う（Ｓ１４）。
【００６０】
Ｓ６でＢランクでなくて、図６のＳ１５でＣランクの場合、目標階までの乗換階５の有無を判定し（Ｓ１６）、存在する場合はその乗換階５を特定し（Ｓ１７）、乗換階５までの高速エレベータ２に、当該乗換階５の呼びを割付ける（Ｓ１８）。同時に、乗換階５から目標階までの呼びを低速エレベータ４に割り付ける（Ｓ１９）。そして、当該低速エレベータ４を相乗り運転制御モード２４に設定する（Ｓ２０）。そして、カードリーダ１０の表示部１０ｂに、割り付けた高速エレベータ２の号機、及び乗換階５の案内表示を行う（Ｓ２１）。
【００６１】
目標階までに乗換階５が存在しない場合（Ｓ１６）、低速エレベータ４に当該利用者９の目的階の呼びを割付ける。さらに、当該低速エレベータ４を相乗り運転制御モード２４に設定する（Ｓ２２）。そして、割り付けた低速エレベータ４の号機の案内表示を行う（Ｓ２３）。
【００６２】
図５のＳ２にて基準階３のカードリーダ１０でなく、乗換階５のカードリーダ１０からのカード情報の場合（Ｓ２４）、図７のＳ２５にてＢランクであれば、Ｂランクのセキュリティレベルの利用者９が、高速エレベータ２を乗換階５で降りて、この乗換階５で戸閉状態で待機している低速エレベータ４に乗換えるために自己のＩＤカード８をかざしたと見ななして、同一ＩＤの確認ののちに、待機している低速エレベータ４への案内表示をカードリーダ１０の表示部１０ｂに行う（Ｓ３０）。そして、この待機している低速エレベータ４を戸開する（Ｓ３１）。
【００６３】
また、Ｓ３２にて、Ａランクの場合、Ａランクのセキュリティレベルの利用者９が、乗換階５で新たにエレベータに乗ろうとしたと判断して、各階停止エレベータ６にカード情報で特定される利用者９の目的階の呼びを割付けると共に、当該各階停止エレベータ６を専用運転制御モード２３に設定する（Ｓ３３）。そして、カードリーダ１０の表示部１０ｂに図３（ａ）に示すように、各階停止エレベータ６（１３号機）に向かうことの案内表示を行う（Ｓ３４）。
【００６４】
図８は高速エレベータ２を制御するエレベータ制御部１３の動作を示す流れ図である。呼びが割付られると（Ｑ１）、この呼びがカードリーダ１０からの呼び割付の場合（Ｑ２）、この呼びが指定する乗換階５へこの高速エレベータ２を移動開始する（Ｑ３）。そして、指定された乗換階５の近傍に達すると（Ｑ４）、該当呼びに低速エレベータ４への乗換指示がある場合は（Ｑ５）、高速エレベータ２のかご１４内に乗換号機（乗換先の低速エレベータ）の案内表示を行う（Ｑ６）。そして、乗換号機に対して自己が乗換階５に接近したことを伝える（Ｑ７）。乗換階５に到着すると（Ｑ８）、戸開して（Ｑ９）、利用者９が降りると、戸閉する（Ｑ１０）。
【００６５】
Ｑ１１にて、一般呼び割付け部１６からの、一般の利用客７による、各階に設けられた乗場呼び登録装置１５からの乗場呼びで、かつこの乗場呼びに続くかご１４内の行き先ボタン操作が入力された場合は、指定された乗換階５へ移動する（Ｑ１２）。そして、到着すると戸開して（Ｑ１３）、利用者７が降りると、戸閉する（Ｑ１４）。
【００６６】
図９は低速エレベータ４を制御するエレベータ制御部１３の動作を示す流れ図である。呼びが割付られると（Ｐ１）、この呼びがカードリーダ１０からの呼び割付で、専用運転（専用機）指定の場合（Ｐ２）、この低速エレベータ４の運転制御モードを専用運転制御モード２３に設定する（Ｐ３）。呼びが指定した待機階（乗換階５）へ移動開始する（Ｐ４）。待機階（乗換階５）へ到着し（Ｐ５）、この待機階（乗換階５）に設定されたカードリーダ１０から、カード情報が入力されると（Ｐ６）、先の呼びのカード情報と同一であることを確認する（Ｐ７）。そして、戸開する（Ｐ８）。
【００６７】
利用者９が乗り込み、利用者９がかご１４内の閉ボタンを押すと（Ｐ９）、先の呼びにて登録されている目的階へ移動開始する（Ｐ１０）。そして、目的階に到着すると（Ｐ１１）、戸開して（Ｐ１２）、利用者９が降りると、戸閉する（Ｐ１３）。そして、専用運転制御モード２３を解除する（Ｐ１４）。
【００６８】
また、この呼びがカードリーダ１０からの呼び割付で、相乗り運転（相乗り機）指定の場合（Ｐ１５）、この低速エレベータ４の運転制御モードを相乗り運転制御モード２４に設定する（Ｐ１６）。呼びが指定した待機階（乗換階５）へ移動開始する（Ｐ１７）。待機階（乗換階５）へ到着し（Ｐ１８）、戸閉状態で待機する。高速エレベータ２のエレベータ制御部１３から、高速エレベータ２が乗換階５に到着したことの通知を受け取ると（Ｐ１９）、戸開する（Ｐ２０）。同一Ｃランクの複数の利用者７が乗り込み、利用者７がかご１４内の閉ボタンを押すと（Ｐ２１）、先の呼びにて登録されている各利用者７の各目的階へ移動開始する（Ｐ２２）。そして、最初の目的階に到着し、戸開して（Ｐ２３）、一人の利用者９が降りると、戸閉する（Ｐ２４）。そして、他に未到着の目的階があれば（Ｐ２５）、その目的階へ移動する（Ｐ２２）。全部の目的階への移動が終了すると（Ｐ２５）、この低速エレベータ４に対する相乗り運転制御モード２４を解除する（Ｐ２６）。
【００６９】
なお、Ｐ１５にて、相乗り指定でなければ、Ｐ２７にて、セキュリティ対応でない、一般呼び対応を実施する。
【００７０】
このように構成されたエレベータの運転制御装置においては、建屋１のエレベータは、高速エレベータ２と、低速エレベータ４と、各階停止エレベータ６とにグループ分けされている。そして、Ａランクのセキュリティを有した利用者９は、自己の目的階へ行く場合は、建屋１の１階等の基準階３に設けられたカードリーダ１０に自己が所持するＩＤカード８をかざす。すると、各階停止エレベータ６が自己の専用機に自動的に設定される。利用者９がこの各階停止エレベータ６に乗り込むと、この各階停止エレベータ６は途中階には停止せずに、目的階まで直行する。したがって、多少時間は掛かるが、Ａランクのセキュリティを有した利用者９は、エレベータのかご１４内で、他人と同乗することなく目的階へ行くことが可能であるので、高いセキュリティを確保できる。
【００７１】
Ｂランクのセキュリティを有した利用者９は、自己の目的階へ行く場合は、建屋１の１階等の基準階３に設けられたカードリーダ１０に自己が所持するＩＤカード８をかざす。すると、目的階までに乗換階５が存在する場合、一般の利用者７も利用する一般運転制御状態の高速エレベータ２で乗換階５まで行く。そして、この乗換階５で自己専用に運転制御される低速エレベータ４に乗換えて目的階に行く。このように、乗換階まで、一般運転制御状態の高速エレベータ２を利用することによって、利用者９のセキュリティを一定水準に確保した上で、エレベータ全体の効率的輸送を図ることが可能である。
【００７２】
Ｃランクのセキュリティを有した利用者９は、自己の目的階へ行く場合は、建屋１の１階等の基準階３に設けられたカードリーダ１０に自己が所持するＩＤカード８をかざす。すると、目的階までに乗換階５が存在する場合、一般の利用者７も利用する一般運転制御状態の高速エレベータ２で乗換階５まで行く。そして、この乗換階５で、自己と同一のＣランクの利用者９と相乗りに運転制御される低速エレベータ４に乗換えて目的階に行く。このように、乗換階まで、一般運転制御状態の高速エレベータ２を利用し、残りは自己と同一のＣランクの利用者９と相乗りることによって、利用者９のセキュリティを一定水準に確保した上で、エレベータ全体の効率的輸送を図ることが可能である。
【００７３】
さらに、低速エレベータ４を乗換階５に待機させる場合に、戸閉状態で待機させているので、セキュリティが設定されていない一般の利用者７が、誤って、専用運転制御モード２３、又は相乗り運転制御モード２４に設定されている低速エレベータ４に誤って乗り込むことを大幅に抑制でき、セキュリティをより一層向上できる。
【００７４】
なお、本発明は、上述した実施形態に限定されるものではない。乗換階５から目的階までの運転に選択された低速エレベータ４に相乗りする利用者９の数が所定数を超えると、乗換階から目的階までの運転に複数の低速エレベータ４を割付けることによって、エレベータ全体をさらに効率的に運転できる。
【００７５】
さらに、目的階方向の利用者数が所定数を超えると、カードリーダ１０で読取った利用者９の目的階に達するまでに高速エレベータ２から低速エレベータ４に乗換える乗換階５を、目的階を通り過ぎた階に設置された乗換階５に変更する。この場合、乗換階５から目的階方向へ戻る低速エレベータ４の利用者数は少ないので、この方向に移動する低速エレベータ４に専用運転制御、又は相乗り運転制御を設定したとしても、エレベータ全体の運転効率が大幅に低下することはない。
【図面の簡単な説明】
【００７６】
【図１】本発明の一実施形態に係わるエレベータの運転制御装置の概略構成を示すブロック図
【図２】同実施形態のエレベータの運転制御装置が適用される建屋の模式図
【図３】同エレベータの運転制御装置に設けられたカードリーダ及びＩＤカードを示す図
【図４】同エレベータの運転制御装置内に設けられた利用者テーブルの記憶内容を示す図
【図５】同エレベータの運転制御装置におけるセキュリティ制御部の動作を示す流れ図
【図６】同じくエレベータの運転制御装置におけるセキュリティ制御部の動作を示す流れ図
【図７】同じくエレベータの運転制御装置におけるセキュリティ制御部の動作を示す流れ図
【図８】同エレベータの運転制御装置における高速エレベータ制御部の動作を示す流れ図
【図９】同エレベータの運転制御装置における低速エレベータ制御部の動作を示す流れ図
【符号の説明】
【００７７】
１…建屋、２…高速エレベータ、３…基準階、４…低速エレベータ、５…乗換階、６…各階停止エレベータ、７，９…利用者、８…ＩＤカード、１０…カードリーダ、１１…セキュリティ制御部、１２…群管理部、１３…エレベータ制御部、１４…かご、１５…乗場呼び登録装置、１６…一般呼び割付部、１７…利用者テーブル、１８…ランク目的階検出部、１９…ランクＡ選択制御部、２０…ランクＢ選択制御部、２１…ランクＣ選択制御部、２２…運転制御モードメモリ、２３…専用運転制御モード、２４…相乗り運転制御モード、２５…一般運転制御モード
【図１】
2009091097.tif 000003
【図２】
2009091097.tif 000004
【図３】
2009091097.tif 000005
【図４】
2009091097.tif 000006
【図５】
2009091097.tif 000007
【図６】
2009091097.tif 000008
【図７】
2009091097.tif 000009
【図８】
2009091097.tif 000010
【図９】
2009091097.tif 000011